【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
複数の感光体上に各々の現像剤像を形成する複数の画像形成手段と、
所定間隔をおいて配置された一対のローラ、及びこの一対のローラに架け渡されたベルトを有し、記録媒体を前記複数の感光体に向けて搬送する搬送手段と、
前記搬送手段による記録媒体の搬送方向下流側に配置されたローラの回転軸より搬送方向上流側に配置され、ベルト面に対して対向する検出部を有し、ベルト上の所定領域に現像剤によって形成された所定の画像パターンを検出する検出手段と、
前記検出手段によって前記ベルト上に形成された画像パターンを検出し、各画像形成手段による各感光体上への画像形成位置を調整する制御手段と、
を備えたことを特徴とする画像形成装置。
【請求項２】
複数の感光体上に各々の現像剤像を形成する複数の画像形成手段と、
所定間隔をおいて配置された一対のローラ、及びこの一対のローラに架け渡されたベルトを有し、記録媒体を前記複数の感光体に向けて搬送する搬送手段と、
前記搬送手段のローラの回転軸を回転自在に受ける軸受け機構と、
前記搬送手段における搬送方向下流側に配置されたローラの回転軸より搬送方向上流側の所定位置に前記軸受け機構と一体に配置された、ベルト面に対して対向する検出部を有し、ベルト上の所定領域に現像剤によって形成された所定の画像パターンを検出する検出手段と、
前記検出手段によって前記ベルト上に形成された画像パターンを検出し、各画像形成手段による各感光体上への画像形成位置を調整する制御手段と、
を備えたことを特徴とする画像形成装置。
【請求項３】
複数の感光体上に各々の現像剤像を形成する複数の画像形成手段と、
所定間隔をおいて配置された一対のローラ、及びこの一対のローラに架け渡されたベルトを有し、記録媒体を前記複数の感光体に向けて搬送する搬送手段と、
前記搬送手段のローラの回転軸を回転自在に受ける軸受け機構と、
前記搬送手段における搬送方向下流側に配置されたローラの回転軸より搬送方向上流側であって、且つローラの最上流位置より搬送方向下流側の所定位置に前記軸受け機構と一体に配置された、ベルト面に対して対向する検出部を有し、ベルト上の所定領域に現像剤によって形成された所定の画像パターンを検出する検出手段と、
前記検出手段によって前記ベルト上に形成された画像パターンを検出し、各画像形成手段による各感光体上への画像形成位置を調整する制御手段と、
を備えたことを特徴とする画像形成装置。
【請求項４】
複数の感光体上に各々の現像剤像を形成する複数の画像形成手段と、
所定間隔をおいて配置された一対のローラ、及びこの一対のローラに架け渡されたベルトを有し、記録媒体を前記複数の感光体に向けて搬送する搬送手段と、
前記搬送手段のローラの回転軸を回転自在に受ける軸受け機構と、
光ビームを発生する発光手段と、光ビームを受光して受光光量に対応した電気信号を発生する受光手段と、発光手段によって発生された光ビームを検出部に案内するとともに検出部で検出された光ビームを受光手段に案内する光ファイバとを備え、前記検出部は、前記搬送手段における搬送方向下流側に配置されたローラの回転軸より搬送方向上流側であって、且つローラの最上流位置より搬送方向下流側の所定位置に前記軸受け機構と一体に配置された、ベルト面に対して対向する検出部を有し、ベルト上の所定領域に現像剤によって形成された所定の画像パターンを検出する検出手段と、
前記検出手段の受光手段から出力された電気信号に基づいて各画像形成手段による各感光体上への画像形成位置を調整する制御手段と、
を備えたことを特徴とする画像形成装置。
【請求項５】
複数の感光体上に各々の現像剤像を形成する複数の画像形成手段と、
所定間隔をおいて配置された一対のローラ、及びこの一対のローラに架け渡されたベルトを有し、記録媒体を前記複数の感光体に向けて搬送する搬送手段と、
前記搬送手段のローラの回転軸を回転自在に受ける軸受け機構と、
光ビームを発生する発光手段と、光ビームを受光して受光光量に対応した電気信号を発生する受光手段と、発光手段によって発生された光ビームを検出部に案内するとともに検出部で検出された光ビームを受光手段に案内する光ファイバとを備え、前記検出部は、前記搬送手段における搬送方向下流側に配置されたローラの回転軸より搬送方向上流側であって、且つローラの最上流位置より搬送方向下流側の所定位置に前記軸受け機構と一体に配置された、ベルト面に対して対向する検出部を有し、ベルト上の所定領域に現像剤によって形成された所定の画像パターンを検出する検出手段と、
前記検出手段の受光手段から出力された電気信号に基づいて、各色の前記画像パターンの間隔及び傾き量を判断して各画像形成手段による各感光体上への画像形成位置のずれ量を演算する演算手段と、
前記演算手段によって演算された各画像形成手段による画像形成位置のずれ量に基づいて、各感光体上への画像形成位置を調整する制御手段と、
を備えたことを特徴とする画像形成装置。
【請求項６】
所定間隔をおいて配置された一対のローラに架け渡されたベルトを搬送方向に沿って走行させる搬送手段と、
搬送方向に沿って直列に配置され、各々の感光体上に現像剤像を形成する複数の画像形成手段と、
前記搬送手段における搬送方向下流側に配置されたローラの回転軸とローラの最上流位置との間でベルト面に対向して配置され、ベルト上の所定領域において前記画像形成手段により現像剤によって形成された所定の画像パターンを検出する検出手段と、
前記検出手段によって検出された画像パターンに基づいて、各画像形成手段による各感光体上への現像剤像の画像形成位置を調整する制御手段と、
を備えたことを特徴とする画像形成装置。
【請求項７】
所定間隔をおいて配置された一対のローラに架け渡されたベルトを搬送方向に沿って走行させる搬送手段と、
搬送方向に沿って直列に配置され、各々の感光体上に現像剤像を形成する複数の画像形成手段と、
ベルト面に対向する検出部を有した反射型の光センサによって構成され、出力した光ビームを略正反射できるような位置であって且つベルト面との間隔が略一定に維持可能な位置に配置され、ベルト上の所定領域において前記画像形成手段により現像剤によって形成された所定の画像パターンを検出する検出手段と、
前記検出手段によって検出された画像パターンに基づいて、各画像形成手段による各感光体上への現像剤像の画像形成位置を調整する制御手段と、
を備えたことを特徴とする画像形成装置。
【請求項８】
所定間隔をおいて配置された一対のローラに架け渡されたベルトを搬送方向に沿って走行させる搬送手段と、
搬送方向に沿って直列に配置され、各々の感光体上に現像剤像を形成する複数の画像形成手段と、
前記ベルト上の所定領域において前記画像形成手段により現像剤によって形成された所定の画像パターンを検出する検出手段と、
前記検出手段によって検出された画像パターンに基づいて、各画像形成手段による各感光体上への現像剤像の画像形成位置を調整する制御手段と、を備え、
前記検出手段は、（Ａ）前記ローラの回転軸と、前記ローラと前記ベルトとが接する位置を結ぶ面と、（Ｂ）前記ローラの最上流位置を含む面と、の間でベルト面に対向して配置されたことを特徴とする画像形成装置。
【手続補正２】
【補正対象書類名】明細書
【補正対象項目名】００１６
【補正方法】変更
【補正の内容】
【００１６】
請求項５に記載の発明によれば、
複数の感光体上に各々の現像剤像を形成する複数の画像形成手段と、
所定間隔をおいて配置された一対のローラ、及びこの一対のローラに架け渡されたベルトを有し、記録媒体を前記複数の感光体に向けて搬送する搬送手段と、
前記搬送手段のローラの回転軸を回転自在に受ける軸受け機構と、
光ビームを発生する発光手段と、光ビームを受光して受光光量に対応した電気信号を発生する受光手段と、発光手段によって発生された光ビームを検出部に案内するとともに検出部で検出された光ビームを受光手段に案内する光ファイバとを備え、前記検出部は、前記搬送手段における搬送方向下流側に配置されたローラの回転軸より搬送方向上流側であって、且つローラの最上流位置より搬送方向下流側の所定位置に前記軸受け機構と一体に配置された、ベルト面に対して対向する検出部を有し、ベルト上の所定領域に現像剤によって形成された所定の画像パターンを検出する検出手段と、
前記検出手段の受光手段から出力された電気信号に基づいて、各色の前記画像パターンの間隔及び傾き量を判断して各画像形成手段による各感光体上への画像形成位置のずれ量を演算する演算手段と、
前記演算手段によって演算された各画像形成手段による画像形成位置のずれ量に基づいて、各感光体上への画像形成位置を調整する制御手段と、
を備えたことを特徴とする画像形成装置が提供される。
請求項６に記載の発明によれば、
所定間隔をおいて配置された一対のローラに架け渡されたベルトを搬送方向に沿って走行させる搬送手段と、
搬送方向に沿って直列に配置され、各々の感光体上に現像剤像を形成する複数の画像形成手段と、
前記搬送手段における搬送方向下流側に配置されたローラの回転軸より搬送方向上流側に配置され、ベルト上の所定領域において前記画像形成手段により現像剤によって形成された所定の画像パターンを検出する検出手段と、
前記検出手段によって検出された画像パターンに基づいて、各画像形成手段による各感光体上への現像剤像の画像形成位置を調整する制御手段と、
を備えたことを特徴とする画像形成装置が提供される。
請求項７に記載の発明によれば、
所定間隔をおいて配置された一対のローラに架け渡されたベルトを搬送方向に沿って走行させる搬送手段と、
搬送方向に沿って直列に配置され、各々の感光体上に現像剤像を形成する複数の画像形成手段と、
ベルト面に対向する検出部を有した反射型の光センサによって構成され、出力した光ビームを略正反射できるような位置であって且つベルト面との間隔が略一定に維持可能な位置に配置され、ベルト上の所定領域において前記画像形成手段により現像剤によって形成された所定の画像パターンを検出する検出手段と、
前記検出手段によって検出された画像パターンに基づいて、各画像形成手段による各感光体上への現像剤像の画像形成位置を調整する制御手段と、
を備えたことを特徴とする画像形成装置が提供される。
請求項８に記載の発明によれば、
所定間隔をおいて配置された一対のローラに架け渡されたベルトを搬送方向に沿って走行させる搬送手段と、
搬送方向に沿って直列に配置され、各々の感光体上に現像剤像を形成する複数の画像形成手段と、
前記ベルト上の所定領域において前記画像形成手段により現像剤によって形成された所定の画像パターンを検出する検出手段と、
前記検出手段によって検出された画像パターンに基づいて、各画像形成手段による各感光体上への現像剤像の画像形成位置を調整する制御手段と、を備え、
前記検出手段は、（Ａ）前記ローラの回転軸と、前記ローラと前記ベルトとが接する位置を結ぶ面と、（Ｂ）前記ローラの最上流位置を含む面と、の間でベルト面に対向して配置されたことを特徴とする画像形成装置が提供される。